(57)【要約】【課題】キャビネット内部の容積を小さくすることなく、ダクトの長さを十分に長くすることができ、さらに、スピーカを取付けるバッフルのスピーカから伝えられる振動の付帯音を外部に放射することを低減し、また、スピーカを取付けるバッフルの振動が押さえられるバスレフ形スピーカキャビネットを提供する。【解決手段】スピーカ２を取付ける第１のバッフル３の前側に間隙を介して第２のバッフル４を配置し、前記第１のバッフル３に入口ポート３ａを形成し、前記第２バッフル４に出口ポート４ａを形成し、前記第１のバッフル３と第２のバッフル４との間を弾性体５ａ、５ｂで仕切ることにより、前記第１のバッフル３、第２のバッフル４および弾性体５ａ、５ｂで囲まれ前記入口ポート３ａから出口ポート４ａに連なるダクト６を形成する。【選択図】図１
2008131117.tif 000002
【特許請求の範囲】
【請求項１】
スピーカを取付ける第１のバッフルの前側に間隙を介して第２のバッフルを配置し、前記第１のバッフルに入口ポートを形成し、前記第２バッフルに出口ポートを形成し、前記第１のバッフルと第２のバッフルとの間を弾性体で仕切ることにより、前記第１のバッフル、第２のバッフルおよび弾性体で囲まれ前記入口ポートから出口ポートに連なるダクトが形成されたことを特徴とするバスレフ形スピーカキャビネット。
【請求項２】
前記第１のバッフルおよび第２のバッフルが球面形状に形成されている請求項１のバスレフ形スピーカキャビネット。
【請求項３】
前記ダクトは音響迷路である請求項１または２のバスレフ形スピーカキャビネット。
【発明の詳細な説明】
【技術分野】
【０００１】
この発明はバスレフ形スピーカキャビネットに関する。
【背景技術】
【０００２】
従来、バッフルに取付けられたスピーカから前面方向に放射する音に加えて、バッフル後方のキャビネット内に放射する位相反転音を、ダクトを通過させることにより位相調整して前面方向に放射させ、低音を増強するバスレフ形スピーカキャビネットが知られている。
【０００３】
特開平１０−２４３４８６号公報にそのようなバスレフ形スピーカキャビネットが開示されている。特開平１０−２４３４８６号公報の図５（Ａ）に示されたバスレフ形スピーカキャビネットは、スピーカを取付ける第１のバッフルの前側に間隙を介して第２のバッフルが取付けられ、第２のバッフルから第１のバッフルを挿通してキャビネット内部に延びるダクト（筒状のポート９２）が形成されている。
【０００４】
特開平１０−２４３４８６号公報の図５（Ｂ）に示されたバスレフ形スピーカキャビネットは、スピーカを取付ける第１のバッフルの前側に間隙を介して第２のバッフルが取付けられ、第１のバッフルからキャビネット内部に延びるダクト（ポート１６）が形成され、第１のバッフルと第２のバッフルとの空間２８はキャビティ（音響フィルタ）として利用され、第２のバッフルに音を前方に放射する開口部２０が形成されている。また、第１のバッフルに取付けられたスピーカと第２のバッフルとの間にゴム３０が押圧状態で介装されている。
【０００５】
実開昭６１−９３０８８号公報に開示された第２図に示すバスレフ形スピーカキャビネットは、バッフルは単一構造であり、バッフル後方の上下板、両側面板および後面板は２重構造となっている。そして、上下板、両側面板および後面板の間隙がダクトとして利用される。
【０００６】
実開昭６１−９３０８８号公報に開示された第３図に示すバスレフ形スピーカキャビネットは、バッフルは単一構造であり、バッフル後方の両側面板および後面板は２重構造となっている。そして、両側面板および後面板の間隙がダクトとして利用される。
【特許文献１】特開平１０−２４３４８６号公報、段落０００３、段落００１７〜段落００２０、段落００２５、段落００２６、図１〜図５
【特許文献２】実開昭６１−９３０８８号公報、第３頁第１９行〜第５頁第１０行、図第２図、第３図
【発明の開示】
【発明が解決しようとする課題】
【０００７】
前記特開平１０−２４３４８６号公報の図５（Ａ）に示されたバスレフ形スピーカキャビネットは、スピーカを取付ける第１のバッフルの前側に間隙を介して第２のバッフルが取付けられ、第２のバッフルから第２のバッフルを挿通してキャビネット内部に延びるダクト（筒状のポート９６）が形成されている。
【０００８】
この例では、第１のバッフルと第２のバッフル間の間隙の厚みがダクトの長さを長くするために寄与する。従って、低音を強調するためにダクトの長さを十分に取る必要があるときにキャビネット内部の容積を小さくしなければならなくなるという問題があった。
【０００９】
また、前記特開平１０−２４３４８６号公報の図５（Ｂ）に示されたバスレフ形スピーカキャビネットは、スピーカを取付ける第１のバッフルの前側に間隙を介して第２のバッフルが取付けられてはいるが、これらのバッフル間の空間は、キャビティとして利用され、ダクトはキャビネット内部の空間内に形成されている。従って、この例でも低音を強調するためにダクトの長さを十分に取る必要があるときは、キャビネット内部の容積が小さくなるという問題があった。
【００１０】
これらの２例では、第２のバッフルは第１のバッフルのスピーカから伝えられる振動の付帯音を外部に放射することを低減する効果を奏するが、第２のバッフルが第１のバッフルに固定されたスピーカのみをゴムを介して押圧しているのみで、第１のバッフルの振動を十分に押さえることができなかった。
【００１１】
実開昭６１−９３０８８号公報に開示されたバスレフ形スピーカキャビネットは、ダクトの長さを十分に長くすることができるが、バッフル後方の両側面板および後面板が２重構造となったり、バッフル後方の上下板、両側面板および後面板が２重構造となっているので、スピーカキャビネットが大形となるという問題があった。
【００１２】
また、バッフルが単一構造であり、バッフルのスピーカから伝えられる振動の付帯音を外部に放射することを防止することができない。
【００１３】
この発明は上記した点に鑑みてなされたものであって、その目的とするところは、キャビネット内部の容積を小さくすることなく、ダクトの長さを十分に長くすることができるバスレフ形スピーカキャビネットを提供することにある。
【００１４】
この発明の他の目的は、スピーカを取付けるバッフルのスピーカから伝えられる振動の付帯音を外部に放射することを低減し、また、スピーカを取付けるバッフルの振動が押さえられるバスレフ形スピーカキャビネットを提供することことである。
【課題を解決するための手段】
【００１５】
この発明のバスレフ形スピーカキャビネットは、スピーカを取付ける第１のバッフルの前側に間隙を介して第２のバッフルを配置し、前記第１のバッフルに入口ポートを形成し、前記第２バッフルに出口ポートを形成し、前記第１のバッフルと第２のバッフルとの間を弾性体で仕切ることにより、前記第１のバッフル、第２のバッフルおよび弾性体で囲まれ前記入口ポートから出口ポートに連なるダクトが形成されたものである。
【００１６】
また、前記バスレフ形スピーカキャビネットにおいて、前記第１のバッフルおよび第２のバッフルが球面形状に形成されているものである。
【００１７】
また、前記各バスレフ形スピーカキャビネットにおいて、前記ダクトを音響迷路としたものである。なお、ここでいう、音響迷路とは入口孔および出口孔が設けられ対向して配置された２枚の板状部材の間を仕切り部材により仕切り、前記板状部材および仕切り部材に囲まれ入口孔から出口孔に至る１本の通路で形成される非直線の音道のことをいう。
【発明の効果】
【００１８】
この発明のバスレフ形スピーカキャビネットによれば、キャビネット内部の容積を小さくすることなく、ダクトの長さを十分に長くすることができる。
【００１９】
また、スピーカを取付けるバッフルのスピーカから伝えられる振動の付帯音を外部に放射することを低減し、また、スピーカを取付けるバッフルの振動が押さえられる。
【発明を実施するための最良の形態】
【００２０】
以下この発明を実施するための最良の形態を実施例に即して説明する。
【実施例１】
【００２１】
図１（ａ）はこの発明の実施例１であるバスレフ形スピーカキャビネットを示す断面図、図１（ｂ）は同バスレフ形スピーカキャビネットを示す正面図である。図に示すスピーカキャビネット１の前面板はスピーカ２を取付ける第１のバッフル３となっている。第１のバッフル３の前側に第２のバッフル４が配置されている。第２のバッフル４はその縁を第１のバッフル３に密着させるようにして取付けられている。
【００２２】
第１のバッフル３にはキャビネット内部から外部に通じる入口ポート３ａが形成されており、第２バッフル４には出口ポート４ａが形成されている。第１のバッフル３と第２のバッフル４との間にはスピーカ２の周囲に配置されるゴム弾性を有するリング状の弾性部材５ａと、入口ポート３ａおよび出口ポート４ａの外側に配置されるゴム弾性を有する直線状の弾性部材５ｂとが配置され、これらは、第１のバッフルと第２のバッフルとに圧接されている。
【００２３】
ダクト６は入口ポート３ａおよび出口ポート４ａに開口する以外にその周囲は第１のバッフル３、第２のバッフル４、弾性部材５ａおよび弾性部材５ｂ、５ｂにより閉じられている。スピーカ２からキャビネット内部に放射された反転音はダクト６を通過するときに位相が変化してスピーカ２の前面に放射される音に加わり低音域が増強される。
【００２４】
このように、ダクト６はキャビネット内部に形成されていないので、キャビネット内部の容積を減少させることはない。また、第１のバッフル３は弾性部材５ａおよび弾性部材５ｂ、５ｂで押えられているので、ダクトが隙間なく形成され、さらに、スピーカ２から第１のバッフル３に伝わる振動が抑制され、また、第１のバッフル３の振動による音は第２のバッフル４で遮断されて外部に放射されないので、第１のバッフルの振動による音質の劣化が防止される。
【実施例２】
【００２５】
図２（ａ）はこの発明の実施例２であるバスレフ形スピーカキャビネットを示す断面図、図２（ｂ）は同バスレフ形スピーカキャビネットを示す正面図である。図に示すスピーカキャビネット１０の前面板はスピーカ２を取付ける第１のバッフル１１となっている。第１のバッフル１１の前側に第２のバッフル１２が配置されている。第１のバッフル１１および第２のバッフル１２は同心の球面形状となっている。
【００２６】
第１のバッフル１１にキャビネット内部から外部に通じる入口ポート１１ａが形成されており、第２バッフル１２に出口ポート１２ａが形成されている。第１のバッフル１１と第２のバッフル１２との間には外周部およびスピーカ２の周囲に配置されるゴム弾性を有するリング状の弾性部材１３ａ、１３ａと入口ポート１１ａと、出口ポート１２ａの外側に配置されるゴム弾性を有する弾性部材１３ｂ、１３ｂとが配置され、第１のバッフル１１と第２のバッフル１２とに圧接されている。
【００２７】
ダクト１４は入口ポート１１ａおよび出口ポート１２ａに開口する以外にその周囲は第１のバッフル１１、第２のバッフル１２、弾性部材１３ａ、１３ａおよび弾性部材１３ｂ、１３ｂにより閉じられている。スピーカ２からキャビネット内部に放射された反転音はダクト１４を通過するときに位相が変化してスピーカ２の前面に放射される音に加わり低音域が増強される。
【００２８】
このように、ダクト１４はキャビネット内部に形成されていないので、キャビネット内部の容積を減少させることはない。また、第１のバッフル１１は弾性部材１３ａ、１３ａおよび弾性部材１３ｂ、１３ｂで押えられているので、ダクトが隙間なく形成され、さらに、スピーカ２から第１のバッフル１１に伝わる振動が抑制され、第１のバッフル１１振動による音は第２のバッフル１２で遮断されて外部に放射されないので、第１のバッフル１１の振動による音質の劣化が防止される。この例ではダクト１４が球面状に形成されるので、平板状のバッフルを用いた場合に比べて長く形成できる。
【実施例３】
【００２９】
図３はこの発明の実施例３であるバスレフ形スピーカキャビネットを示す正面図である。この例では第２のバッフル１５の背面に実施例１と同様の第１のバッフルが配置されている。そして、第２のバッフル１５と第１のバッフルの間にはスピーカ２の周囲に配置されるゴム弾性を有するリング状の弾性部材５ａと入口ポート１６ａと、第２のバッフル１５に設けられた出口ポート１５ａの外側に配置されるゴム弾性を有する直線状の弾性部材１６ｂ、１６ｂ…とが配置されて、これらは第１のバッフル１５と第２のバッフルとに圧接されている。なお、図面を見やすくするために、弾性部材１６ｂ、１６ｂ…を１本の点線で示している。
【００３０】
弾性部材１６ｂ、１６ｂ…は音響迷路としてのダクト１７を構成している。他の構成は実施例１と同様であり、実施例１と同様の効果が得られる。さらに、この例では第１のバッフルと第２のバッフル１５との間の平面状の空間を広く利用して長いダクトを形成することができる。
【００３１】
実施例は以上のように構成されているが発明はこれに限られず、例えば、実施例３において、スピーカ２の周囲を弾性部材１６ｂの代わりに、第１のバッフルまたは第２のバッフル１５に形成された円筒状部材で塞いでもよい。
【図面の簡単な説明】
【００３２】
【図１】図１（ａ）はこの発明の実施例１であるバスレフ形スピーカキャビネットを示す断面図、図１（ｂ）は同バスレフ形スピーカキャビネットを示す正面図である。
【図２】図２（ａ）はこの発明の実施例２であるバスレフ形スピーカキャビネットを示す断面図、図２（ｂ）は同バスレフ形スピーカキャビネットを示す正面図である。
【図３】この発明の実施例３であるバスレフ形スピーカキャビネットを示す正面図である。
【符号の説明】
【００３３】
１  スピーカキャビネット
２  スピーカ
３  第１のバッフル、３ａ  入口ポート
４  第２のバッフル、４ａ  出口ポート
５ａ、５ｂ  弾性体
６  ダクト
１０  スピーカキャビネット
１１  第１のバッフル、１１ａ  入口ポート
１２  第２のバッフル、１２ａ  出口ポート
１３ａ、１３ｂ  弾性体
１４  ダクト
１５  第２のバッフル
１６ａ、１６ｂ  弾性体
１７  ダクト
【図１】
2008131117.tif 000003
【図２】
2008131117.tif 000004
【図３】
2008131117.tif 000005